(57)【要約】【課題】液体の補充、交換が簡単にでき、多くの液体を収容することができる液体塗布具とする。【解決手段】タンク部が内部に設けられる本体１０と、本体１０の先端側に連結される先軸１４と、先軸１４内に固定されて先軸１４の先端から突出するブラシ１８とを備えており、本体１０と先軸１４との連結を外して、本体１０の先端開口を液体４０に沈めて本体１０の後部に取り付けられたスライド筒３２を摺動させることによって、液体４０をタンク部内に吸引することができる。【選択図】図５
2008168545.tif 000002
【特許請求の範囲】
【請求項１】
タンク部が内部に設けられた本体と、本体よりも先端側に配設されて被塗布体に塗布可能な先端塗布体と、を備えた液体塗布具において、
本体の後部には外部から押し込み・引き出し操作が可能となり本体に対して摺動可能となったスライド筒が取り付けられて、本体に対するスライド筒の摺動によってタンク部の容積を可変としたことを特徴とする液体塗布具。
【請求項２】
前記先端塗布体は本体の先端側に連結される先軸内に固定されており、本体と先軸とは着脱可能に連結されて本体の先端に形成された先端開口が露出可能となったことを特徴とする請求項１記載の液体塗布具。
【請求項３】
前記本体には、少なくともその一部がタンク部に臨む可撓部が設けられており、可撓部の押圧によってタンク部の容積を可変としたことを特徴とする請求項１または２記載の液体塗布具。
【発明の詳細な説明】
【技術分野】
【０００１】
本発明は、液体を塗布する液体塗布具に関し、特に、液体を補充したり液体を排出して別の液体を入れ替えたりすることが自在となった液体塗布具に関する。
【背景技術】
【０００２】
従来の液体塗布具にあっては、内部のタンク部に塗布するための液体を収容しており、先端塗布体から該液体を被塗布体に塗布することができるようになっている。
【０００３】
従来の液体塗布具では、タンク部の液体を補充したり、または別の液体に入れ替えたりすることは不可能であり、タンク部の液体の種類を変えることはできず、液体がなくなれば捨てるより外はなく、容器は使い捨てとなっている。
【０００４】
これに対して、特許文献１に記載された携帯用塗布具にあっては、外鞘と、外鞘内にあって、保液綿を内部に保持した保液綿保持鞘と、外筒の後端部に取り外し自在に装着されたゴム製尾栓とを有しており、ゴム製尾栓は後端を閉鎖して内部に空気室を設け、空気室に連通する中心開口に保液綿保持鞘の後端部を挿入固着している。液体補充時には、ゴム製尾栓を保液綿保持鞘と共に外鞘から取り外して、ゴム製尾栓の空気室をスポイト状に機能させて保液綿保持鞘の先端部から使用液を保液綿に滲み込ませることにより使用液を繰り返し補充することができるようになっている。
【０００５】
【特許文献１】特開平１１−２２１９９４号公報
【発明の開示】
【発明が解決しようとする課題】
【０００６】
しかしながら特許文献１では、液体の補充はできるものの液体の交換は容易にはできない、という問題があり、また、多量の液体を保持しようとすれば、携帯用塗布具の長さが長くなるという問題もある。
【０００７】
本発明は、かかる課題に鑑みなされたもので、液体の補充、交換が簡単にでき、多量の液体を収容することができる液体塗布具を提供することをその目的とする。
【課題を解決するための手段】
【０００８】
上記目的を達成するために、本発明のうち請求項１記載の発明は、タンク部が内部に設けられた本体と、本体よりも先端側に配設されて被塗布体に塗布可能な先端塗布体と、を備えた液体塗布具において、
本体の後部には外部から押し込み・引き出し操作が可能となり本体に対して摺動可能となったスライド筒が取り付けられて、本体に対するスライド筒の摺動によってタンク部の容積を可変としたことを特徴とする。
【０００９】
請求項２記載の発明は、請求項１記載の前記先端塗布体が本体の先端側に連結される先軸内に固定されており、本体と先軸とは着脱可能に連結されて本体の先端に形成された先端開口が露出可能となったことを特徴とする。
【００１０】
請求項３記載の発明は、請求項１または２記載の前記本体に少なくともその一部がタンク部に臨む可撓部が設けられており、可撓部の押圧によってタンク部の容積を可変としたことを特徴とする。
【発明の効果】
【００１１】
本発明によれば、スライド筒の押し込み・引き出し操作をして、スライド筒を本体に対し摺動させることによってタンク部の容積を可変とすることができるので、タンク部の容積を拡張させて負圧とし、タンク部へと液体を吸引して、液体をタンク部内に導入することができる。こうして、タンク部内に液体を補給することができる。または、タンク部の容積を縮小させて正圧とし、タンク部の液体を排出することができる。排出と導入を組み合わせることで、液体の交換も簡単に行うことができる。
【００１２】
また、不使用時には、スライド筒を摺動させてタンク部の容積を縮小させることによって、液体塗布具の全長を短くして、携帯に便利とすることができる。使用時には、スライド筒を摺動させてタンク部の容積を大きくすることができ、多量の液体を収容することができる。また、液体塗布具の全長を長くすることができるので、手で握りやすく取扱性を良好にすることができる。
【００１３】
請求項２記載の発明によれば、本体と先軸との連結を外して、本体の先端開口を露出させることで、先端開口から液体を直接導入・排出することができる。
【００１４】
請求項３記載の発明によれば、使用中に先端塗布体から液体をより塗布したい場合に、可撓部を押圧することにより、タンク部の容積を縮小して、液体を先端塗布体へと供給することができる。
【発明を実施するための最良の形態】
【００１５】
以下、図面を用いて本発明の実施の形態を説明する。
【００１６】
図１は、本発明に係る液体塗布具の実施の形態を表す全体縦断面図である。
図において、１０は本体であり、本体１０の内部にタンク部１２が設けられる。本体１０は硬質の本体軸部１０ａと、本体軸部１０ａの一部の周囲に配設された軟質の可撓部１０ｂとから構成される。本体軸部１０ａと可撓部１０ｂとは分離した部材から構成することも可能であるが、二色成形、インサート成形等により一体の成形品で構成することも可能である。
【００１７】
可撓部１０ｂが設けられる本体軸部１０ａの部分には、側部開口１０ｃが形成されており、可撓部１０ｂは側部開口１０ｃ内に進入して、その進入した部分は本体１０内部のタンク部１２に臨んでいる。
【００１８】
本体１０の先端開口１０ｄ側には、先軸１４が螺合により着脱可能に連結される。先軸１４内には、先具１６が配設される。
【００１９】
先具１６は、その後端が本体軸部１０ａの先端面に当接すると共に、その先端が先軸１４の先端開口１４ａから突出している。さらに、先具１６内には、その後端から先端塗布体であるブラシ１８が挿入され、ブラシ１８の先端は先具１６の先端開口１６ｃから突出する。
【００２０】
図３に示すように、先具１６には、内方に突出した環状の内方突出部１６ｂが形成されており、該内方突出部１６ｂはブラシ１８先端の広がりを押えている。また、先具１６に形成された側孔１６ａから余剰液体を吸収するためのスポンジ状の液体吸収体２２が挿入されており、該液体吸収体２２内を前記ブラシ１８が貫通している。先具１６の内方突出部１６ｂより先端側には第２側孔１６ｄが形成されている。
【００２１】
さらに、先具１６内にはブラシ１８の後方から内栓２０が挿入されており、内栓２０は先具１６に固定される。内栓２０の後端には円柱部２０ａが形成されており、該円柱部２０ａは本体１０の先端開口１０ｄを通り抜けて本体１０内へと延びる。円柱部２０ａの根元には、その周囲にブラシ１８と連通する貫通孔２０ｂが形成されている。貫通孔２０ｂは１つ以上形成することができる。内栓２０によって、ブラシ１８と液体吸収体２２は、先具１６と一体的に組み付けられ、さらに、先具１６が先軸１４内に固定されて、これらは一体的に組み付けられて先軸ユニットとなる。先軸ユニットにはこの他バルブ等を含めることもできる。
【００２２】
本体１０の後部には、後端部が閉塞したスライド筒３２が本体１０に対して摺動可能に取り付けられる。スライド筒３２の先端に形成された大径部３２ａの外周面には、Ｏリング３４が嵌め込まれており、Ｏリング３４が本体１０の内周面に摺接することで、本体１０との間の水密性を保持している。
【００２３】
本体１０の後端には尾冠３０が取り付けられ、スライド筒３２は、その大径部３２ａが本体軸部１０ａの本体軸部１０ａの内周面に形成された段部１０ｆと尾冠３０との間を移動する範囲において、本体１０に対して摺動可能となっている。
【００２４】
液体が収容されるタンク部１２は、本体１０とスライド筒３２とによって画成され、スライド筒３２の摺動によって、タンク部１２の容積が可変となっている。タンク部１２を画成する本体１０の内周面には液体の流動性を良好にするためのリブ１０ｅが形成されている。
【００２５】
また、先軸１４には不使用時にブラシ１８の先端を保護するためのキャップ３８が着脱可能に取り付けられる。
【００２６】
以上のように構成される液体塗布具の作用を説明する。不使用時にはタンク部１２内は空とすることができ、このときには、図５（ａ）に示すようにスライド筒３２は本体１０内に最大限退没した状態とすることができて、全長を短くすることができ、携帯に便利となっている。
【００２７】
使用時には、図５（ｂ）に示すように、塗布するべき液体４０（例えば、水彩画を描くときには、絵の具を水で溶いたもの）を用意する。そして、本体１０と先軸１４との螺合を外して、本体１０の先端開口１０ｄを含む先端部を液体内に沈めて、本体１０を保持しながら、スライド筒３２を後方へと引き出していく。すると、本体１０内のタンク部１２の容積が拡張して負圧になるため、タンク部１２内に液体が吸引される。さらに、吸引を行う場合には、一度、本体１０を液体から出して先端開口１０ｄを上に向けてスライド筒３２を前方に押して退没させて、タンク部１２内にある空気を先端開口１０ｄから抜いた後、再び、本体１０の先端開口１０ｄを液体に沈めて、吸引動作を繰り返す。
【００２８】
これによって、タンク部１２内に液体が導入・充填されるので、使用時には、図４及び図５（ｃ）に示すように、先軸１４と本体１０とを螺合し、キャップ３８を取り外して、本体１０を握ってブラシ１８から被塗布体に塗布を行うことができる。スライド筒３２が突出した状態のままとなるため、本体１０が握りやすくなる。
【００２９】
ブラシ１８からさらに液体を吐出させたい場合には、本体１０の可撓部１０ｂを押してタンク部１２を収縮させることで、タンク部１２からの液体をブラシ１８の方へと移動させることができる。液体は、タンク部１２から本体１０の先端開口１０ｄにおいて先端開口１０ｄと内栓２０の円柱部２０ａとの間に形成された隙間を通り、内栓２０の円柱部２０ａに誘導されて、貫通孔２０ｂを通りブラシ１８の後端鍔部を迂回してブラシ１８へと移動し、ブラシ１８内を通過してブラシ１８先端から塗布される。
【００３０】
また、ブラシ１８から大量に液体を吐出させたい場合には、スライド筒３２を前方へ押すことによって、その押し込み量に応じて、タンク部１２からの液体をブラシ１８の方へと移動させることができる。大量に液体が吐出される場合、液体は、ブラシ１８内を通過していく他、ブラシ１８から液体吸収体２２を通過し、第２側孔１６ｄを通過してブラシ１８内に戻る経路をも通過することができる。
【００３１】
タンク部１２内に液体がなくなった場合には、本体１０と先軸１４との螺合を取り外して、先と同じようにタンク部１２への液体の吸引を行うことで、液体補充をすることができる。但し、本体１０と先軸１４との螺合を取り外さずに、ブラシ１８の先端を液体に浸漬して吸引を行うことが可能である。このとき液体は、塗布時と同じ経路を反対方向に通過してタンク部１２へと移動する。
【００３２】
また、使用が終了すると、タンク部１２から液体を抜くために、本体１０と先軸１４との螺合を取り外して、先端開口１０ｄから液体を排出する。このとき、突出していたスライド筒３２を前方へと押し込むことによって、タンク部の容積を縮小させて正圧とし、先端開口１０ｄからタンク部１２内の液体を一気に排出させることができる。但し、本体１０と先軸１４との螺合を取り外さずに、ブラシ１８先端から液体を排出することも可能である。
【００３３】
こうしてスライド筒３２を本体１０に退没させた状態で保管することができる。また、液体を交換したい場合にも、タンク部１２から液体を排出して、再び新しい液体をタンク部１２へと吸引することで、使用することができる。
【００３４】
以上のように、本発明の液体塗布具は、不使用時にはスライド筒３２が退没することができて全長が短くなるので、携帯に便利であり、一方、使用時にはスライド筒３２を突出させることで、タンク部１２の容積を大きくすることができて、多量の液体をタンク部１２に収容することができ、全長が長くなるので、握りやすく取扱性が良好となる。
【図面の簡単な説明】
【００３５】
【図１】本発明の液体塗布具の実施形態を表す全体縦断面図である。
【図２】図１の本体の（ａ）は本体軸部の縦断面図、（ｂ）は本体軸部と可撓部とが一体となった状態の縦断面図、（ｃ）は（ｂ）のｃ−ｃ線に沿って見た断面図である。
【図３】先軸ユニットの分解断面図である。
【図４】本発明の液体塗布具の使用時を表す全体縦断面図である。
【図５】本発明の液体塗布具の（ａ）不使用時、（ｂ）液体吸引時、（ｃ）使用時を表す説明図である。
【符号の説明】
【００３６】
１０  本体
１０ｂ  可撓部
１０ｄ  先端開口
１２  タンク部
１４  先軸
１８  ブラシ（先端塗布体）
３２  スライド筒
【図１】
2008168545.tif 000003
【図２】
2008168545.tif 000004
【図３】
2008168545.tif 000005
【図４】
2008168545.tif 000006
【図５】
2008168545.tif 000007